(57)【要約】【課題】防音効果を向上させて維持し得るエレベーター装置を提案する。【解決手段】綱車、そらせ車及びロープを覆うカバーを備えたエレベーター装置において、カバーは、綱車を覆う綱車カバーと、そらせ車を覆うそらせ車カバーと、ロープを覆うロープカバーとから構成され、綱車カバー、そらせ車カバー及びロープカバーは、騒音を吸収する吸音材を２枚の鉄板で挟み込んだ２重構造を有することを特徴とする。【選択図】図２
2015157677.tif 000002
【特許請求の範囲】
【請求項１】
綱車、そらせ車及びロープを覆うカバーを備えたエレベーター装置において、
前記カバーは、
前記綱車を覆う綱車カバーと、
前記そらせ車を覆うそらせ車カバーと、
前記ロープを覆うロープカバーとから構成され、
前記綱車カバー、前記そらせ車カバー及び前記ロープカバーは、
騒音を吸収する吸音材を２枚の鉄板で挟み込んだ２重構造を有する
ことを特徴とするエレベーター装置。
【請求項２】
前記そらせ車カバーは、
前記吸音材を挟み込む２枚の鉄板のうち、前記そらせ車に対向する側の鉄板の表面に複数の突起が設けられ、かつ、前記複数の突起の中心には前記吸音材に通じる穴が設けられ、
前記ロープカバーは、
前記２枚の鉄板のうち、前記ロープに対向する側の鉄板の表面に複数の突起が設けられ、かつ、前記複数の突起の中心には前記吸音材に通じる穴が設けられる
ことを特徴とする請求項１に記載のエレベーター装置。
【請求項３】
前記そらせ車カバーは、
前記そらせ車に対向する側の鉄板のうち、前記そらせ車に対して側面方向に設置される鉄板の表面に前記突起及び前記穴が設けられる
ことを特徴とする請求項２に記載のエレベーター装置。
【請求項４】
前記そらせ車カバーの下部に設けられ、前記綱車カバー及び前記そらせ車カバーに向けて飛散した油が下方に垂れてきた場合に該油を回収する第１の油受けを備える
ことを特徴とする請求項１〜３の何れか一項に記載のエレベーター装置。
【請求項５】
前記ロープカバーの下部に設けられ、前記綱車カバー、前記そらせ車カバー及び前記ロープカバーに向けて飛散した油が下方に垂れてきた場合に該油を回収する第２の油受けを備える
ことを特徴とする請求項１〜３の何れか一項に記載のエレベーター装置。
【発明の詳細な説明】
【技術分野】
【０００１】
本発明は、エレベーター装置に関する。
【背景技術】
【０００２】
従来、エレベーター装置における巻上機をカバーで覆う構造が開示されている。例えば特許文献１には、グラスウール等の吸音材を保護板に接着し、この保護板を巻上機の側方側に設置する構造が開示されている。この特許文献１によれば、巻上機から発生する騒音を吸音材により吸収し、騒音が外部に漏れることを防止することができるとしている。
【０００３】
また特許文献２には、箱状のカバーを電動機と駆動綱車の全体を覆うように設置する構造が開示されている。この特許文献２によれば、上記特許文献１と同様、電動機で発生した騒音が昇降路内、特にかご室内に伝搬することを抑制することができるとしている。
【０００４】
また特許文献３には、排気装置、フィルタ及びフィルタ油受けをカバーに設置した構造が開示されている。この特許文献３によれば、エレベーターロープにかかる遠心力や振動によりエレベーターロープに含浸されている油が飛散する場合であっても、カバーの外に油が飛散することを確実に防止することができるとしている。
【先行技術文献】
【特許文献】
【０００５】
【特許文献１】特開昭６０−１８３２８６号公報
【特許文献２】特開２０００−２２６１７３号公報
【特許文献３】特開２００４−２０３５２３号公報
【発明の概要】
【発明が解決しようとする課題】
【０００６】
しかし、特許文献１〜３に記載の技術では、防音効果を向上させるために吸音材をカバーに接着し、このカバーを巻上機全体を覆うように設置すると、エレベーターロープから飛散した油が吸音材に付着及び堆積する。この場合、付着及び堆積した油を吸音材から除去するための清掃や交換等の作業が必要となる。こうした作業は頻繁に行うことができないため、結果として吸音材により防音効果を向上させたとしても、その防音効果を維持することができないという問題がある。
【０００７】
本発明は以上の点を考慮してなされたもので、防音効果を向上させて維持し得るエレベーター装置を提案するものである。
【課題を解決するための手段】
【０００８】
かかる課題を解決するために、本発明においては、綱車、そらせ車及びロープを覆うカバーを備えたエレベーター装置において、カバーは、綱車を覆う綱車カバーと、そらせ車を覆うそらせ車カバーと、ロープを覆うロープカバーとから構成され、綱車カバー、そらせ車カバー及びロープカバーは、騒音を吸収する吸音材を２枚の鉄板で挟み込んだ２重構造を有することを特徴とする。
【発明の効果】
【０００９】
本発明によれば、防音効果を向上させて維持することができる。
【図面の簡単な説明】
【００１０】
【図１】エレベーター装置の全体構成図である。
【図２】綱車カバーの上部断面構成図である。
【図３】そらせ車カバーの断面構成図である。
【図４】第１の油受けの断面構成図である。
【図５】ロープカバーの断面構成図である。
【図６】第２の油受けの側面構成図である。
【図７】騒音及び油の経路図である。
【図８】他の実施の形態における騒音及び油の経路図である。
【発明を実施するための形態】
【００１１】
以下図面について、本発明の一実施の形態を詳述する。
【００１２】
（１）全体構成
図１は、本実施の形態におけるエレベーター装置１の全体構成を示す。エレベーター装置１は、昇降路１０の上部に第１機械室１１及び第２機械室１２を備えて構成される。第１機械室１１には、受け台１１１及び支持梁１１２が設置され、これら受け台１１１及び支持梁１１２には、巻上機本体１１３が搭載される。巻上機本体１１３は、乗りかご及び釣り合いおもり（図示省略）を昇降路１０内において昇降させるための装置である。
【００１３】
また第１機械室１１には、巻上機本体１１３により回転させられる綱車１１４が設置される。綱車１１４には、乗りかご及び釣り合いおもりを吊り下げるための複数本のロープ１１５が巻きかけられており、このロープ１１５には油が含浸されている。綱車１１４の円周上には、巻上機本体１１３に固定された綱車カバー１１６が設置される。この綱車カバー１１６の詳細については後述する（図２）。
【００１４】
また第１機械室１１には、梁１１７により支持され、金具１１８により固定されるそらせ車１１９が設置される。そらせ車１１９は、綱車１１４に巻きかけられたロープ１１５を釣り合いおもりに導くための滑車である。そらせ車１１９の周囲には、そらせ車カバー１２０が設置され、そらせ車カバー１２０の下部には第１の油受け１２１が設置される。そらせ車カバー１２０及び第１の油受け１２１の詳細については後述する（図３、図４）。
【００１５】
第２機械室１２には、綱車１１４及びそらせ車１１９と、昇降路１０内の乗りかご及び釣り合いおもりとを接続するためのロープ１１５の経路が形成されており、ロープ１１５の周囲にはロープカバー１２２が設置され、ロープカバー１２２は、第２機械室１２の天井に設置される金具１２３及び床面に設置される金具１２４により固定される。またロープカバー１２２の下部には第２の油受け１２５が設置される。ロープカバー１２２及び第２の油受け１２５の詳細については後述する（図５、図６）。
【００１６】
（２）各部の詳細構成
図２は、綱車カバー１１６の上部断面構成を示す。綱車カバー１１６は、綱車１１４の円周上を囲むように設置される。また綱車カバー１１６は、鉄板１１６１及び吸音材１１６２から構成され、吸音材１１６２を２枚の鉄板１１６１で挟み込んだ構造を有する。
【００１７】
吸音材１１６２を２枚の鉄板１１６１で挟み込んだ構造を有することにより、綱車１１４やロープ１１５から発生する騒音が鉄板１１６１に伝搬して鉄板１１６１が振動する場合に鉄板１１６１の振動による騒音を効果的に吸収することができる。またロープ１１５に含浸された油が吸音材１１６２に付着及び堆積することを防止することができる。
【００１８】
図３は、そらせ車カバー１２０の断面構成を示す。そらせ車カバー１２０は、そらせ車１１９の四方を囲むように設置される。またそらせ車カバー１２０は、鉄板１２０１、吸音材１２０２及び突起１２０３から構成され、吸音材１２０２を２枚の鉄板１２０１で挟み込んだ構造を有する。
【００１９】
またそらせ車カバー１２０は、吸音材１２０２を挟み込む２枚の鉄板１２０１のうち、ロープ１１５の側面に対向する鉄板１２０１の表面に複数の突起１２０３を設ける構造を有する。突起１２０３には、吸音材１２０２に通じる穴１２０４が設けられる。
【００２０】
この鉄板１２０１に穴１２０４を設けることにより、そらせ車１１９やロープ１１５から発生する騒音を鉄板１２０１を介さずに吸音材１２０２に直接進入させることができる。よって防音効果を向上させることができる。また突起１２０３を設けることにより、ロープ１１５から飛散した油が穴１２０４から吸音材１２０２に進入して付着及び堆積することを防止することができる。騒音及び油の経路については後述する（図７及び図８）。
【００２１】
なおロープ１１５に含浸されている油が直接的に飛散する円周面側の鉄板１２０１には、突起１２０３を設けないようにしたので、吸音材１２０２に油が直接進入することを防止することができる。円周面側の鉄板１２０１に飛散した油は、鉄板１２０１上を垂れて後述する第１の油受け１２１により回収することができる。
【００２２】
図４は、第１の油受け１２１の断面構成を示す。第１の油受け１２１は、そらせ車カバー１２０の下部に設置される。また第１の油受け１２１は、鉄板１２１１及び吸音材１２１２から構成され、吸音材１２１２を２枚の鉄板１２１１で挟み込んだ構造を有する。
【００２３】
吸音材１２１２を２枚の鉄板１２１１で挟み込んだ構造を有することにより、そらせ車１１９やロープ１１５から発生する騒音が鉄板１２１１に伝搬して鉄板１２１１が振動する場合に鉄板１２１１の振動による騒音を効果的に吸収することができる。また第１の油受け１２１を設置することにより、綱車カバー１１６及びそらせ車カバー１２０上に飛散して下方に垂れてきた油を容易に回収することができる。
【００２４】
図５は、ロープカバー１２２の断面構成を示す。ロープカバー１２２は、ロープ１１５の四方を囲むように設置される。またロープカバー１２２は、鉄板１２２１、吸音材１２２２及び突起１２２３から構成され、吸音材１２２２を２枚の鉄板１２２１で挟み込んだ構造を有する。
【００２５】
またロープカバー１２２は、吸音材１２２２を挟み込む２枚の鉄板１２２１のうち、ロープ１１５に対向する鉄板１２２１の表面に複数の突起１２２３を設ける構造を有する。突起１２２３には、吸音材１２２２に通じる穴１２２４が設けられる。
【００２６】
この鉄板１２２１に穴１２２４を設けることにより、ロープカバー１２２内で発生する騒音を鉄板１２２１を介さずに吸音材１２２２に直接進入させることができる。よって防音効果を向上させることができる。
【００２７】
また突起１２２３を設けることにより、ロープ１１５から飛散した油が穴１２２４から吸音材１２２２に進入して付着及び堆積することを防止することができる。騒音及び油の経路については後述する（図７及び図８）。
【００２８】
図６は、第２の油受け１２５の断面構成を示す。第２の油受け１２５は、ロープカバー１２２の下部に設置される。第２の油受け１２５を設置することにより、綱車カバー１１６、そらせ車カバー１２０及びロープカバー１２２上に飛散して下方に垂れてきた油を容易に回収することができる。
【００２９】
図７は、そらせ車カバー１２０の鉄板１２０１上における騒音及び油の経路を示す。図７に示すように騒音は、突起１２０３が有する穴１２０４に直接進入する。一方油は、突起１２０３を避けるようにして鉄板１２０１上を上方から下方にかけて垂れる。鉄板１２０１上において突起１２０３以外の箇所に油の通り道となる溝を設けるとしてもよい。
【００３０】
よって突起１２０３及び穴１２０４を有する鉄板１２０１においては、騒音を効果的に吸収しつつ、吸音材１２０２に油が付着及び堆積することを防止することができる。なおロープカバー１２２における鉄板１２２１、突起１２２３及び穴１２２４についても同様の作用を得ることができる。
【００３１】
図８は、他の実施の形態における騒音及び油の経路を示す。他の実施の形態におけるそらせ車カバー１２０Ａは、突起１２０３Ａの形状が突起１２０３と異なるだけで他の構成は同様である。突起１２０３Ａは、鉄板１２０１Ａが一部めくれて形成される。
【００３２】
図８に示すように騒音は、突起１２０３Ａの下方に形成された穴１２０４Ａに直接進入して吸音材１２０２Ａに吸収される。一方油は、突起１２０３Ａ上を伝わり、突起１０２３Ａの端部で下方に落下する。
【００３３】
よって突起１２０３Ａ及び１２０４Ａを有する鉄板１２０１Ａにおいても、騒音を効果的に吸収しつつ、吸音材１２０２Ａに油が付着及び堆積することを防止することができる。なおロープカバー１２２においてもこの他の実施の形態を適用することにより、同様の作用を得ることができる。
【００３４】
（３）本実施の形態による効果
以上のように本実施の形態におけるエレベーター装置１によれば、綱車カバー１１６、そらせ車カバー１２０及びロープカバー１２２を巻上機本体１１３及びロープ１１５の全体を覆うように設置し、これら綱車カバー１１６、そらせ車カバー１２０及びロープカバー１２２においては吸音材を２枚の鉄板で挟み込むように構成し、また２枚の鉄板のうちのロープ１１５に対向する鉄板であって、かつ、側面側の鉄板においては複数の突起を設けるとともに吸音材に通じる穴を設けるようにしたので、騒音を穴から直接進入させて吸音材に吸収させ、油は突起を避けて垂らすことができるため吸音材に付着及び堆積させないようにすることができる。よって防音効果を向上させて維持することができる。
【符号の説明】
【００３５】
１        エレベーター装置
１１３    巻上機本体
１１４    綱車
１１５    ロープ
１１６    綱車カバー
１１９    そらせ車
１２０    そらせ車カバー
１２１    第１の油受け
１２２    ロープカバー
１２４    第２の油受け
【図１】
2015157677.tif 000003
【図２】
2015157677.tif 000004
【図３】
2015157677.tif 000005
【図４】
2015157677.tif 000006
【図５】
2015157677.tif 000007
【図６】
2015157677.tif 000008
【図７】
2015157677.tif 000009
【図８】
2015157677.tif 000010